【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
制御信号を供給する行状の走査線と、映像信号を供給する列状の信号線と、両者が交差する部分に配された行列状の画素とが、基板上に形成され、
前記画素は、前記映像信号に応じた輝度で発光する発光素子を含み、
前記発光素子は、アノード及びカソードになる一対の電極と、その間に保持された発光層とからなり、
前記一対の電極のうち少なくとも片方をＮ個に分割することで、該発光素子がＮ個のサブ発光素子に分割され、該発光素子のうち一つのサブ発光素子に欠陥がある場合、該発光素子のうち欠陥のない（Ｎ−１）個のサブ発光素子に、画素が正常な場合に比べて（Ｎ−１）／Ｎの駆動電流が供給される
表示装置。
【請求項２】
制御信号を供給する行状の走査線と、映像信号を供給する列状の信号線と、両者が交差する部分に配された行列状の画素とが、基板上に形成され、
前記画素は、前記映像信号に応じた輝度で発光する発光素子を含み、
前記発光素子は、アノード及びカソードになる一対の電極と、その間に保持された発光層とからなり、
前記一対の電極のうち少なくとも片方はＮ個に分割されてなり、
前記分割された電極のうち一つの電極が前記一対の電極のうちもう一方の電極と短絡している場合、該分割された電極のうち残りの（Ｎ−１）個の電極を介して、前記発光層に、画素が正常な場合に比べて（Ｎ−１）／Ｎの駆動電流が供給される
表示装置。
【請求項３】
制御信号を供給する行状の走査線と、映像信号を供給する列状の信号線と、両者が交差する部分に配された行列状の画素とが、基板上に形成され、
前記画素は、前記映像信号に応じた輝度で発光する発光素子を含み、
前記発光素子は、アノード及びカソードになる一対の電極と、その間に保持された発光層とからなる薄膜素子であり、
前記一対の電極のうち少なくとも片方をＮ個に分割することで、該発光素子がＮ個のサブ発光素子に分割され、
一つのサブ発光素子に欠陥がある場合、欠陥のない（Ｎ−１）個のサブ発光素子に、画素が正常な場合に比べて（Ｎ−１）／Ｎの駆動電流が供給される
表示装置の駆動方法。
【請求項４】
行列状に配された画素のうち、修復された画素である修復画素の位置情報を記憶する記憶部と、
前記記憶部に記憶されている前記位置情報に基づき、前記修復画素に対する駆動電流を、画素が正常な場合に比べて（Ｎ−１）／Ｎとするように制御する駆動回路と
を備える駆動制御装置。
【請求項５】
請求項４に記載の駆動制御装置を備える
表示装置。
【請求項６】
請求項１、請求項２、または請求項５に記載の表示装置を備える
電子機器。
【請求項７】
行列状に配された、発光素子を含む各画素に対して、滅点検出を行い、
滅点が検出された前記画素を修復し、
修復がされた前記画素の位置情報を記憶部に記憶させる
表示装置の製造方法。
【請求項８】
行列状に配された、発光素子を含む各画素に対して、滅点検出を行い、
滅点が検出された前記画素を修復し、
修復がされた前記画素の位置情報を記憶部に記憶させる
請求項１、請求項２、または請求項５に記載の表示装置の製造方法。
【手続補正２】
【補正対象書類名】明細書
【補正対象項目名】発明の名称
【補正方法】変更
【補正の内容】
【発明の名称】表示装置、表示装置の駆動方法、駆動制御装置、電子機器、及び表示装置の製造方法
【手続補正３】
【補正対象書類名】明細書
【補正対象項目名】０００１
【補正方法】変更
【補正の内容】
【０００１】
本発明は、発光素子を含む画素を有する表示装置、表示装置の駆動方法、表示装置を備える電子機器、及び表示装置の製造方法、並びに駆動制御装置に関する。より詳しくは画素の欠陥を修復する技術の改良に関する。
【手続補正４】
【補正対象書類名】明細書
【補正対象項目名】０００９
【補正方法】変更
【補正の内容】
【０００９】
上述した従来の技術の課題に鑑み、本発明の表示装置、表示装置の駆動方法、電子機器、及び駆動制御装置は、修復画素の輝度劣化の進行を抑制可能とすることを目的とする。係る目的を達成するために以下の手段を講じた。
即ち、本発明の第１の側面の表示装置は、制御信号を供給する行状の走査線と、映像信号を供給する列状の信号線と、両者が交差する部分に配された行列状の画素とが、基板上に形成され、前記画素は、前記映像信号に応じた輝度で発光する発光素子を含み、前記発光素子は、アノード及びカソードになる一対の電極と、その間に保持された発光層とからなり、前記一対の電極のうち少なくとも片方をＮ個に分割することで、該発光素子がＮ個のサブ発光素子に分割され、該発光素子のうち一つのサブ発光素子に欠陥がある場合、該発光素子のうち欠陥のない（Ｎ−１）個のサブ発光素子に、画素が正常な場合に比べて（Ｎ−１）／Ｎの駆動電流が供給される。
本発明の第２の側面の表示装置は、制御信号を供給する行状の走査線と、映像信号を供給する列状の信号線と、両者が交差する部分に配された行列状の画素とが、基板上に形成され、前記画素は、前記映像信号に応じた輝度で発光する発光素子を含み、前記発光素子は、アノード及びカソードになる一対の電極と、その間に保持された発光層とからなり、前記一対の電極のうち少なくとも片方はＮ個に分割されてなり、前記分割された電極のうち一つの電極が前記一対の電極のうちもう一方の電極と短絡している場合、該分割された電極のうち残りの（Ｎ−１）個の電極を介して、前記発光層に、画素が正常な場合に比べて（Ｎ−１）／Ｎの駆動電流が供給される。
本発明の第３の側面の表示装置の駆動方法は、制御信号を供給する行状の走査線と、映像信号を供給する列状の信号線と、両者が交差する部分に配された行列状の画素とが、基板上に形成され、前記画素は、前記映像信号に応じた輝度で発光する発光素子を含み、前記発光素子は、アノード及びカソードになる一対の電極と、その間に保持された発光層とからなる薄膜素子であり、前記一対の電極のうち少なくとも片方をＮ個に分割することで、該発光素子がＮ個のサブ発光素子に分割され、一つのサブ発光素子に欠陥がある場合、欠陥のない（Ｎ−１）個のサブ発光素子に、画素が正常な場合に比べて（Ｎ−１）／Ｎの駆動電流が供給される。
【手続補正５】
【補正対象書類名】明細書
【補正対象項目名】００１０
【補正方法】変更
【補正の内容】
【００１０】
また、本発明の第４の側面の駆動制御装置は、行列状に配された画素のうち、修復された画素である修復画素の位置情報を記憶する記憶部と、前記記憶部に記憶されている前記位置情報に基づき、前記修復画素に対する駆動電流を、画素が正常な場合に比べて（Ｎ−１）／Ｎとするように制御する駆動回路とを備える。
本発明の第５の側面の表示装置は、前記第４の側面の駆動制御装置を備える。
本発明の第６の側面の電子機器は、前記第１の側面、第２の側面、または第５の側面の表示装置を備える。
本発明の第７の側面の表示装置の製造方法は、行列状に配された、発光素子を含む各画素に対して、滅点検出を行い、滅点が検出された前記画素を修復し、修復がされた前記画素の位置情報を記憶部に記憶させる。
本発明の第８の側面の表示装置の製造方法は、前記第１の側面、第２の側面、または第５の側面の表示装置の製造方法であって、行列状に配された、発光素子を含む各画素に対して、滅点検出を行い、滅点が検出された前記画素を修復し、修復がされた前記画素の位置情報を記憶部に記憶させる。
【手続補正６】
【補正対象書類名】明細書
【補正対象項目名】００１１
【補正方法】変更
【補正の内容】
【００１１】
本発明によれば、修復画素の輝度劣化の進行を抑制することができる。
【手続補正７】
【補正対象書類名】明細書
【補正対象項目名】００２８
【補正方法】変更
【補正の内容】
【００２８】
タイミングジェネレータ部に含まれるレベルシフタは、丁度修復画素に書き込むべき映像信号のみをレベルシフトしてデータドライバ３側に供給する。その際、予め測定した正常画素の輝度に対し修復画素の輝度が（Ｎ−１）／Ｎとなるように映像信号のレベルを調節する。この結果、データドライバ３から線順次走査に応じて逐次信号線に出力される映像信号により、正常画素と修復画素の電流差を１／Ｎに保つことができ、後発点欠陥が発生することがない。
本発明によれば、正常画素に流れる駆動電流を1＝Ｎ／Ｎとすると、修復画素に流す駆動電流は出荷段階で（Ｎ−１）／Ｎに抑えている。換言すると修正画素に流す駆動電流は正常画素に流す駆動電流の１／Ｎだけ少なくしている。ここでＮは画素１個当りに含まれる複数のサブ発光素子の個数である。修復画素は短絡欠陥の生じたサブ発光素子をドライブトランジスタから切り離しているので、発光に寄与する有効なサブ発光素子の個数は、正常画素に比べて１つ少ない。従って、サブ発光素子１個当りに流れる駆動電流を比較すると、正常画素と修復画素で等しくなっている。この結果、修復画素と正常画素で輝度劣化の進行程度が同じとなり、時間が経過しても正常画素と修復画素とで輝度差が生じない。出荷段階で修復画素に流す電流を１／Ｎだけ抑えれば、その後修復画素の輝度劣化を正常画素と同じレベルに抑制できるので、修復画素のみが将来滅点化する恐れはない。一方出荷段階で修復画素は正常画素に比べ１／Ｎだけ駆動電流が少ないため、その分輝度に差が生じる。しかしながらこの輝度差が許容範囲内であれば、表示装置のパネルとしては良品となり歩留まりの改善に繋がる。出荷段階で良品であれば、その後輝度劣化は修復画素と正常画素で相違がないので、特に信頼性上の問題はない。